(57)【要約】【課題】  床仕上げ材の表面温度が均一となる床暖房パネルを提供すること。【解決手段】  床パネル１と、床パネル１の上面に敷設される床仕上げ材４と、温水を循環する往き側温水配管２及び戻り側温水配管３と、床パネル１の上面に形成した往き側温水配管２及び戻り側温水配管３を収容するための配管溝とを備え、往き側温水配管２及び戻り側温水配管３に温水を循環することにより床仕上げ材４を暖める床暖房パネル１０において、床仕上げ材４の下面から往き側温水配管２までの距離を床仕上げ材４の下面から戻り側温水配管３までの距離よりも大きくする。【選択図】図１
2005180759.tif 000002
【特許請求の範囲】
【請求項１】
床パネルと、
前記床パネルの上面に敷設される床仕上げ材と、
温水を循環する往き側温水配管及び戻り側温水配管と、
前記床パネルの上面に形成した前記往き側温水配管及び戻り側温水配管を収容するための配管溝とを備え、
前記往き側温水配管及び戻り側温水配管に温水を循環することにより前記床仕上げ材を暖める床暖房パネルにおいて、
前記床仕上げ材の下面から前記往き側温水配管までの距離を前記床仕上げ材の下面から前記戻り側温水配管までの距離よりも大きくしたことを特徴とする床暖房パネル。
【請求項２】
前記往き側温水配管を収容する配管溝の深さを、前記戻り側温水配管を収容する配管溝の深さよりも深くすることにより、前記床仕上げ材の下面から前記往き側温水配管までの距離を前記床仕上げ材の下面から前記戻り側温水配管までの距離よりも大きくしたことを特徴とする請求項１記載の床暖房パネル。
【請求項３】
前記床仕上げ材の下面と前記往き側温水配管とは接しておらず、前記床仕上げ材の下面と前記戻り側温水配管とが接していることを特徴とする請求項１又は請求項２に記載の床暖房パネル。
【請求項４】
前記床パネルを複数枚並べて敷設し、前記往き側温水配管及び戻り側温水配管を前記複数の床パネルの配管溝に連続して収容したことを特徴とする請求項１乃至請求項３のいずれかに記載の床暖房パネル。
【発明の詳細な説明】
【技術分野】
【０００１】
本発明は、温水にて床暖房を行う床暖房パネルに関するものである。
【背景技術】
【０００２】
従来より、温水にて床暖房を行う床暖房パネルは、床パネルの表面に温水等の熱媒体を通す温水配管を収容させる配管溝を形成し、均熱シート等を設けた上で配管溝に温水配管を収容し、その上に床仕上げ材を施して床パネルの表面を仕上げるようにしている。そして温水配管に温水等の熱媒体を通すことにより、床仕上げ材を暖めるものである。（例えば特許文献１）
【特許文献１】特開平７−１５８８７１公報
【発明の開示】
【発明が解決しようとする課題】
【０００３】
しかしながら、従来の床暖房パネルにおいては、戻り側温水配管から床仕上げ材への伝熱量よりも往き側温水配管から床仕上げ材への伝熱量の方が大きくなり、その結果床仕上げ材の表面温度にむらが生じるおそれがあった。
【０００４】
本発明は、かかる事由に鑑みてなしたもので、その目的とするところは、床仕上げ材の表面温度が均一となる床暖房パネルを提供することにある。
【課題を解決するための手段】
【０００５】
上記課題を解決するために、本発明では、床パネルと、前記床パネルの上面に敷設される床仕上げ材と、温水を循環する往き側温水配管及び戻り側温水配管と、前記床パネルの上面に形成した前記往き側温水配管及び戻り側温水配管を収容するための配管溝とを備え、前記往き側温水配管及び戻り側温水配管に温水を循環することにより前記床仕上げ材を暖める床暖房パネルにおいて、前記床仕上げ材の下面から前記往き側温水配管までの距離を前記床仕上げ材の下面から前記戻り側温水配管までの距離よりも大きくする。
【発明の効果】
【０００６】
本発明の床暖房パネルでは、床仕上げ材の下面から往き側温水配管までの距離を床仕上げ材の下面から戻り側温水配管までの距離よりも大きくしているため、往き側温水配管からの床仕上げ材への伝熱量をセーブしておき、逆に戻り側温水配管からの床仕上げ材への伝熱量を増加させることができる。その結果、床仕上げ材の表面温度を均一にすることができる。
【発明を実施するための最良の形態】
【０００７】
以下、本発明に係る実施形態を図１、２に基づいて説明する。図１に示すように、本実施形態における床暖房パネル１０は、複数の床パネル１、往き側温水配管２、戻り側温水配管３、床仕上げ材４から構成されている。熱源５で得られた温水は床パネル１内に配設された往き側温水配管２及び戻り側温水配管３を通って床仕上げ材４を暖めた後、再び熱源５に戻り加熱される。ここで、熱源５からＡ点までの温水配管を往き側温水配管２、Ａ点から熱源５までの温水配管を戻り側温水配管３としている。また、Ａ点においては、往き側温水配管２と戻り側温水配管３の段差を解消するために温水配管が傾斜して設けられている。
【０００８】
本実施形態において、床パネル１は厚み２５mmのパーティクルボードからなり、１枚あたりの寸法は、幅６００mm、長さ１２００mmである。往き側温水配管２及び戻り側温水配管３はポリエチレン製で、外径１０mm、内径７mmである。また、床仕上げ材４として厚さ１２ｍｍのフローリングを用い、全ての床パネル１上に施している。さらに熱源５としては、例えば水を加熱するための加熱手段と、加熱手段により加熱された温水を温水配管に循環させるポンプとを備えたものを用いる。
【０００９】
また、図２に示すように、床パネル１は床スラブ１１の上に配置した支持脚１２に載置される。支持脚１２は所定間隔をおいて複数床スラブ１１上に配置し、この支持脚１２に床パネル１の辺又は隅部を防振ゴム１３及び床パネル受け材１４を介して載置する。
【００１０】
床パネル１表面には往き側温水配管２を収容するための往き側配管溝１６及び戻り側温水配管３を収容するための戻り側配管溝１７が設けてあり、各配管溝に往き側温水配管２及び戻り側温水配管３を収容した後に床仕上げ材４を施してある。ここで、往き側温水配管２を収容する往き側配管溝１６の深さを、戻り側温水配管を収容する戻り側配管溝１７の深さよりも深くしている。具体的には、往き側配管溝１６は、幅１０mm、深さ１０．５mmであり、戻り側配管溝１７は、幅１０mm、深さ１０mmとしている。こうすることで、往き側温水配管２が床仕上げ材４と接触せず、戻り側温水配管３は床仕上げ材４と接触した状態となるため、往き側温水配管２が床仕上げ材４と接触している場合よりも往き側温水配管２直上の床仕上げ材４への伝熱量をセーブでき、セーブした熱量を戻り側温水配管３へまわすことにより、戻り側温水配管３直上の床仕上げ材４への伝熱量を増やすことができる。その結果、床仕上げ材４表面の温度むらを低減し、均一にすることができる。ここで、各温水配管の間隔は１５０〜２００mmとし、床仕上げ材４と往き側温水配管２の間隔は０．５〜１．０mmとすることが好ましい。
【００１１】
以上のように、本実施形態に係る床暖房パネルでは、往き側温水配管２を収容させる往き側配管溝１６の深さを、戻り側温水配管３を収容させる戻り側配管溝１７の深さよりも深くし、戻り側温水配管３を床仕上げ材４の下面に接触させているため、往き側温水配管２からの床仕上げ材４への伝熱量をセーブでき、逆に戻り側温水配管３からの床仕上げ材４への伝熱量を増加させることができる。その結果、床仕上げ材４の表面温度を均一にすることができる。
【図面の簡単な説明】
【００１２】
【図１】本実施形態に係る床暖房パネルの平面図である。
【図２】本実施形態に係る床暖房パネルの断面図である。
【符号の説明】
【００１３】
１  床パネル
２  往き側温水配管
３  戻り側温水配管
４  床仕上げ材
５  熱源
１０  床暖房パネル
１６  往き側配管溝
１７  戻り側配管溝
【図１】
2005180759.tif 000003
【図２】
2005180759.tif 000004